(57)【要約】【課題】  貫通間隙を確実に止水することができ、かつ、耐水圧性に優れ、可とう性を有する止水工法及び止水構造を提供する。【解決手段】  本発明に係る止水工法は、貫通間隙２の周囲に凹部１ａを有する中空コンクリート構造物１の貫通間隙２を止水する止水工法であって、凹部１ａに樹脂接着剤を充填するとともに貫通間隙２の周囲に樹脂接着剤を塗布して下地層１４１及び下地層１４１と一体の堰１４３を形成するステップと、下地層１４１上に防水シート１１を、貫通間隙２を覆うように設けるステップと、耐水圧性を有する防護膜１２で防水シート１１を覆うステップと、中空コンクリート構造物１に下地層１４１を介して防水シート１１及び防護膜１２を固定具１３により固定するステップと、固定具１３を覆うと共に下地層１４１とで防水シート１１及び防護膜１２の少なくとも周縁部を挟むように樹脂接着剤を塗布して、下地層１４１と一体の上塗層１４２を形成するステップとを備える。【選択図】  図４
2014001591.tif 000002
【特許請求の範囲】
【請求項１】
中空コンクリート構造物の貫通間隙を止水する止水工法であって、
前記貫通間隙の周囲に樹脂接着剤を塗布して下地層を形成するステップと、
前記下地層上に防水シートを、前記貫通間隙を覆うように設けるステップと、
前記中空コンクリート構造物に前記下地層を介して前記防水シートを固定具により固定するステップと、
前記固定具を覆うと共に前記下地層とで前記防水シートの少なくとも周縁部を挟むように前記樹脂接着剤を塗布して、前記下地層と一体の上塗層を形成するステップとを備える止水工法。
【請求項２】
前記貫通間隙を覆うステップの後に、耐水圧性を有する防護膜で前記防水シートを覆うステップをさらに備える請求項１に記載の止水工法。
【請求項３】
前記中空コンクリート構造物は、前記貫通間隙の周囲に凹部を有しており、
前記下地層を形成するステップにおいて、前記樹脂接着剤を前記凹部に充填して、前記下地層と一体の堰を形成する請求項１又は２に記載の止水工法。
【請求項４】
前記貫通間隙を覆うステップの前に、前記貫通間隙に充填材を充填するステップをさらに備える請求項１〜３のいずれかに記載の止水工法。
【請求項５】
前記充填材として、弾性エポキシ樹脂を用いる請求項４に記載の止水工法。
【請求項６】
中空コンクリート構造物の貫通間隙を止水する止水構造であって、
前記貫通間隙を覆う防水シートと、
前記防水シートを前記中空コンクリート構造物に固定する固定具と、
樹脂接着剤で形成され、前記防水シート及び前記固定具を前記中空コンクリート構造物に固定する樹脂固定部とを備え、
前記樹脂固定部は、
前記中空コンクリート構造物の前記貫通間隙の周囲に設けられ、前記中空コンクリート構造物及び前記防水シートの間に介在する下地層と、
前記下地層と一体であり、前記固定具を覆うと共に前記下地層とで前記防水シートの少なくとも周縁部を挟むように設けられた上塗層とを有する止水構造。
【請求項７】
前記防水シートを覆う、耐水圧性を有する防護膜をさらに備える請求項６に記載の止水構造。
【請求項８】
前記中空コンクリート構造物は、前記貫通間隙の周囲に凹部を有しており、
前記樹脂固定部は、前記凹部に形成され前記下地層と一体の堰をさらに備える請求項６又は７に記載の止水構造。
【請求項９】
貫通間隙を有する中空コンクリート構造物であって、
前記貫通間隙に、請求項６〜８のいずれかに記載の止水構造が設けられている中空コンクリート構造物。
【請求項１０】
前記貫通間隙に充填材が充填されている請求項９に記載の中空コンクリート構造物。
【請求項１１】
前記充填材として、弾性エポキシ樹脂を用いる請求項１０に記載の中空コンクリート構造物。
【発明の詳細な説明】
【技術分野】
【０００１】
本発明は、例えば、洞道、上下水道、地下鉄等の中空コンクリート構造物の貫通間隙を止水するものであり、特に、可とう性を有する止水工法及び止水構造、並びに、その止水構造を備える中空コンクリート構造物に関するものである。
【背景技術】
【０００２】
中空コンクリート構造物は、コンクリートを打ち継いで構築された複数のコンクリート構造体を、目地を介して連結することによって、順次構築される。このような中空コンクリート構造物は、地中に埋め込まれて使用される際に、例えば、打ち継ぎ目、目地、コンクリートを貫通するひび割れ等の貫通間隙を伝って、地下水が中空コンクリート構造物内に侵入しないように、貫通間隙の止水が必要とされている。このような貫通間隙には、補修材を充填して補修することも行われているが、このような補修では比較的短期間で再劣化することが多く、そのため、中空コンクリート構造物の貫通間隙には、止水構造が設けられるのが一般的である。止水構造としては、例えば、特許文献１に記載のように、貫通間隙を防水シートで覆い、固定具を打ち込んで防水シートを中空コンクリート構造物に固定したものが知られている。
【先行技術文献】
【特許文献】
【０００３】
【特許文献１】特開２００９−７８９９号公報
【発明の概要】
【発明が解決しようとする課題】
【０００４】
しかしながら、特許文献１に記載の止水構造は、防水シートの上から固定具を打ち込むことによってしか、防水シートが中空コンクリート構造物に固定されていないため、地中から貫通間隙を通って中空コンクリート構造物内に侵入する水の水圧により固定具が外れ、十分に貫通間隙の止水を行えない恐れが生じていた。
【０００５】
本発明は、上記課題を解決するためになされたものであり、貫通間隙を確実に止水することができ、かつ、耐水圧性に優れ、可とう性を有する止水工法及び止水構造を提供する。
【課題を解決するための手段】
【０００６】
本発明に係る止水工法は、中空コンクリート構造物の貫通間隙を止水する止水工法であって、前記貫通間隙の周囲に樹脂接着剤を塗布して下地層を形成するステップと、前記下地層上に防水シートを、前記貫通間隙を覆うように設けるステップと、前記中空コンクリート構造物に前記下地層を介して前記防水シートを固定具により固定するステップと、前記固定具を覆うと共に前記下地層とで前記防水シートの少なくとも周縁部を挟むように前記樹脂接着剤を塗布して、前記下地層と一体の上塗層を形成するステップとを備える。
【０００７】
本発明では、下地層と上塗層とが一体となって形成される樹脂固定部によって、固定具が覆われると共に、防水シートの少なくとも周縁部が挟まれる。これにより、樹脂固定部内で防水シートと固定具とが一体に固定され、固定具が防水シートから外れにくくなる。加えて、樹脂固定部の下地層が中空コンクリート構造物と固着しているため、防水シートの下地層を介して中空コンクリート構造物と接触する面の全面で、防水シートと中空コンクリート構造物とが固定される。これにより、防水シートと中空コンクリート構造物との強固な固定が得られ、本発明に係る止水工法により設けられる止水構造の耐水圧性が向上する。
【０００８】
上記止水工法は、貫通間隙を覆うステップの後に、耐水圧性を有する防護膜で防水シートを覆うステップをさらに備えてもよい。このように、耐水圧性を有する防護膜で防水シートを覆うと、地中から中空コンクリート構造物に侵入してくる水の水圧により防水シートが膨張したとしても、防護膜が防水シートの膨張を抑えることができる。これにより、固定具が外れる方向への負荷及び樹脂固定部が剥離する方向への負荷が軽減され、固定具を外れにくく且つ樹脂固定部を剥離しにくくすることができる。
【０００９】
上記止水工法では、中空コンクリート構造物が、前記貫通間隙の周囲に凹部を有しており、下地層を形成するステップにおいて、樹脂接着剤を凹部に充填して、下地層と一体の堰を形成してもよい。このようにして形成された堰は、下地層及び上塗層と共に樹脂固定部を構成する。すなわち、樹脂固定部が断面Ｌ字状となり、折れ曲がり部（堰）が中空コンクリート構造物に差し込まれた状態となる。これにより、堰が中空コンクリート構造物に引っ掛かることで、地中から中空コンクリート構造物に侵入してくる水の水圧によって防水シートが膨張したとしても、その防水シートの膨張によって樹脂固定部が中空コンクリート構造物から剥離することを防止することができる。また、堰を設けることにより、貫通間隙より中空コンクリート構造物に侵入してきた水が堰で止められるため、中空コンクリート構造物と樹脂固定部との間に水が浸入して樹脂固定部が剥離することも防止することができる。これにより、防水シートが中空コンクリート構造物に確実に固定され、止水構造の耐水圧性がより向上する。
【００１０】
上記止水工法は、貫通間隙を覆うステップの前に、貫通間隙に充填材を充填するステップをさらに備えてもよい。貫通間隙に充填材を充填すると、充填材により地中から中空コンクリート構造物内に侵入する水が抑制される。これにより、止水効果が向上されると共に、地中から中空コンクリート構造物に侵入してくる水によって生じる防水シートに掛かる水圧が抑制され、防水シートを外れにくくすることができる。さらに、充填材として弾性エポキシ樹脂を使用すると、構造物の微小な変位に追従することができる。そのため、構造物の微小な変位による漏水を防止することができる。
【００１１】
また、本発明に係る止水構造は、中空コンクリート構造物の貫通間隙を止水する止水構造であって、前記貫通間隙を覆う防水シートと、前記防水シートを前記中空コンクリート構造物に固定する固定具と、樹脂接着剤で形成され、前記防水シート及び前記固定具を前記中空コンクリート構造物に固定する樹脂固定部とを備え、前記樹脂固定部は、前記中空コンクリート構造物の前記貫通間隙の周囲に設けられ、前記中空コンクリート構造物及び前記防水シートの間に介在する下地層と、前記下地層と一体であり、前記固定具を覆うと共に前記下地層とで前記防水シートの少なくとも周縁部を挟むように設けられた上塗層とを有する。
【００１２】
上記止水構造は、防水シートを覆う、耐水圧性を有する防護膜をさらに備えてもよい。また、中空コンクリート構造物が、貫通間隙の周囲に凹部を有しており、樹脂固定部が、その凹部に形成され下地層と一体の堰をさらに備えてもよい。
【００１３】
さらに、本発明に係る中空コンクリート構造物は、貫通間隙を有する中空コンクリート構造物であって、前記貫通間隙に、上記止水構造が設けられる。上記中空コンクリート構造物は、貫通間隙に充填材が充填されてもよく、その充填材として、弾性エポキシ樹脂を用いてもよい。
【発明の効果】
【００１４】
本発明に係る止水工法及び止水構造によれば、耐水圧性に優れ、可とう性を有し、貫通間隙を確実に止水することができる。
【図面の簡単な説明】
【００１５】
【図１】本発明に係る止水構造の一実施形態を中空コンクリート構造物の目地に適用した状態を示す斜視図である。
【図２】図１の中空コンクリート構造物のＡ−Ａ断面図である。
【図３】図１の中空コンクリート構造物のＢ−Ｂ断面図である。
【図４】本発明の止水構造の一実施形態の長手方向を断面で見た図である。
【図５】本発明の止水構造の他の実施形態の長手方向を断面で見た図である。
【図６】図４及び図５の止水構造の防水シートが膨張した状態を示した図である。
【図７】試験に使用した止水構造の平面図である。
【図８】図７の正面断面図である。
【発明を実施するための形態】
【００１６】
以下、本発明に係る止水工法及び止水構造の一実施形態について、添付図面を参照して説明する。図１に使用状態の一例を示すように、本実施形態の止水工法及び止水構造１０は、中空コンクリート構造物１の貫通間隙２を止水するために用いるものである。なお、ここでいう、「中空コンクリート構造物」とは、コンクリートを打ち継いで構築された複数のコンクリート構造体３を、目地２を介して連結して構築されたもので、主として、地中に埋め込まれて使用されるものをいう。また、「貫通間隙」とは、コンクリートの打ち継ぎ目、隣接するコンクリート構造体３間の目地、及び、中空コンクリート構造物１にできた貫通するひび割れ等をいう。この点については、本明細書を通じて同様の意味である。
【００１７】
まず、図２〜図６を参照して、本実施形態に係る止水構造１０について説明する。止水構造１０は、貫通間隙２を覆う防水シート１１、防水シート１１を覆う防護膜１２、防水シート１１及び防護膜１２を固定する固定具１３、並びに、防水シート１１、防護膜１２及び固定具１３を固定する樹脂固定部１４を備えている。
【００１８】
防水シート１１には、例えば、オレフィン系エラストマー、スチレン系エラストマー、塩化ビニル系エラストマー、ウレタン系エラストマー、エチレンプロピレン系エラストマー、ブチル系エラストマー、ブタジエン系エラストマー、（アクリル）ニトリル系エラストマー、イソプレン系エラストマー、クロロプレン系エラストマー等の防水性を有するシートを使用することができる。好ましくは、樹脂固定部１４に用いられる樹脂接着剤と強固に接着する防水シート１１がよい。さらに、防水シート１１には、伸展性のあるシートを用いることが好ましい。伸展性のあるシートを用いると、構造物の微小な動きや変位に追従することができるため、例えば、地盤の不等沈下や地震、あるいは温度変化等に伴って相対変位が生じた場合であっても、その相対変位を吸収することができる。この防水シート１１は、貫通間隙２を完全に覆った上で、周縁部が中空コンクリート構造物１に固定され得る大きさを有している。
【００１９】
防護膜１２は、防水シート１１よりも高い耐水圧性を有するネット又はシート等が用いられ、具体的には、ステンレスネット、ビニロンシート、ポリエステルシート、ナイロンシート、炭素繊維シート、アラミドシート、繊維補強シート、金属シート等を使用することができる。防護膜１２は、地中から中空コンクリート構造物１内に侵入してくる水の水圧によって防水シート１１が膨張する際に、図６に示すように、防水シート１１が膨張することを許容できるように、たわみ部１２ａを有した状態で防水シート１１を覆った上で、周縁部が中空コンクリート構造物１に固定できる大きさを有している。防護膜１２として剛性の高いステンレスネット等を用いる場合は、防護膜１２は、図５に示すようにたわみ部１２ａが貫通間隙２の上に膨らんだ状態で配置される。一方、防護膜１２として柔軟性の高いビニロンシート及びポリエステルシート等を用いる場合は、防護膜１２は、図４に示すようにたわみ部１２ａが貫通間隙２上に折り畳まれた状態で配置される。
【００２０】
固定具１３は、本実施形態では、防水シート１１及び防護膜１２の周縁に沿って延びる例えばステンレス製のバー（ステンレスバー）１３１と、所定間隔毎にステンレスバー１３１を中空コンクリート構造物１に固定する複数の固定ボルト１３２とを備え、防水シート１１及び防護膜１２の周縁部をステンレスバー１３１で押さえた上で、各固定ボルト１３２により、防水シート１１及び防護膜１２を中空コンクリート構造物１に固定している。なお、固定具１３は、上記したものに限定されるものではなく、中空コンクリート構造物１に防水シート１１及び防護膜１２を固定できる種々の手段のものを、種々の方法等で用いることができる。例えば、スクリューネジ等のネジ類、金属拡張アンカーや接着系アンカー及びフィッシャープラグ等のあと施工アンカーボルト類等から選択することができる。
【００２１】
樹脂固定部１４は、下地層１４１と、下地層１４１と一体の上塗層１４２及び堰１４３とから構成されており、樹脂接着剤により形成されている。下地層１４１は、貫通間隙２の周囲に樹脂接着剤を塗布することにより設けられ、防水シート１１と中空コンクリート構造物１との間に介在している。上塗層１４２は、防水シート１１、防護膜１２及び固定具１３を覆っている。堰１４３は、中空コンクリート構造物１上の貫通間隙２の周囲に設けられる凹部１ａに樹脂接着剤を充填することにより形成される。ここで、下地層１４１は、堰１４３から貫通間隙２と離れる方向に広がるように形成することが好ましい。このように下地層１４１を形成することで、貫通間隙２から中空コンクリート構造物１と防水シート１１との間に流入した水が堰１４３により留められ、中空コンクリート構造物１と下地層１４１との間に水が入り込まなくなる。これにより、下地層１４１が中空コンクリート構造物１から剥離するのを確実に防止することができる。
【００２２】
下地層１４１、上塗層１４２及び堰１４３はいずれも同一の樹脂接着剤から形成されており、樹脂接着剤としては、例えば、サンユコートＬ−２６７（商品名、サンユレック製）等のエポキシ樹脂又はアクリル樹脂等を使用することができる。このように、同一樹脂接着剤で下地層１４１、上塗層１４２及び堰１４３を形成しているため、樹脂固定部１４内に界面ができず、樹脂固定部１４は強固に一体化される。また、下地層１４１と中空コンクリート構造物１との間には、例えば、無溶剤型エポキシ樹脂等を塗布してプライマー層（図示せず）を形成することもできる。プライマー層を設けると、下地層１４１を中空コンクリート構造物１に強固に固着させることができ、樹脂固定部１４と中空コンクリート構造物１との接着性を向上させることができる。
【００２３】
樹脂固定部１４の下地層１４１と上塗層１４２とで、防水シート１１及び防護膜１２の少なくとも周縁部をサンドイッチ状に挟んでおり、上塗層１４２で固定具１３を覆っている。これにより、樹脂固定部１４内で防水シート１１、防護膜１２及び固定具１３が一体に固定される。また、樹脂固定部１４の下地層１４１は、中空コンクリート構造物１に直接樹脂接着剤を塗布することで形成されているため、下地層１４１は中空コンクリート構造物１に固着されている。これにより、防水シート１１及び防護膜１２は、固定具１３により固定される部分、すなわち、ステンレスバー１３１で押さえられる部分に加えて、下地層１４１上に載置されている部分全面が中空コンクリート構造物１に固着されるため、強固な固着が得られる。
【００２４】
このような止水構造１０は、中空コンクリート構造物１の貫通間隙２を覆うようにして設けられる。このとき、貫通間隙２には、予め充填材１５を充填しておくことができる。充填材１５を充填することで、地中から中空コンクリート構造物１内に侵入する水が抑制される。これにより、止水効果を向上させることができる。また、地中から中空コンクリート構造物１に水が浸入しにくくなるため、施工時に地下水によって中空コンクリート構造物１と樹脂固定部１４との接着面が濡らされ、樹脂固定部１４が中空コンクリート構造物１に接着しにくくなることを防止することができる。これにより、施工環境が大幅に改善される。さらに、地中から中空コンクリート構造物１に侵入してくる水が抑制されると、その水によって生じる防水シート１１に掛かる水圧も抑制される。これにより、防水シート１１に掛かる負荷が軽減され、防水シート１１が外れにくくなる。この充填材１５としては、目地等を充填する一般的な充填材が使用できるが、特に、弾性エポキシ樹脂を使用することが好ましい。弾性エポキシ樹脂は、耐久性に優れている上、柔軟性を有するため、例えば、地盤沈下や地震等により、貫通間隙２を挟んで中空コンクリート構造物１の周囲の地面が異なる方向に動いたとしても、弾性エポキシ樹脂の柔軟性により、貫通間隙２の間隙を埋め続けることができる。
【００２５】
次に、上記止水構造１０を中空コンクリート構造物１に設ける止水工法について説明する。
【００２６】
まず、中空コンクリート構造物１の貫通間隙２に、充填材１５を充填する。その後、中空コンクリート構造物１の貫通間隙２の周囲に、凹部１ａを設ける。この凹部１ａに樹脂接着剤を充填して凹部１ａに堰１４３を形成するとともに、貫通間隙２の周囲に樹脂接着剤を塗布して堰１４３と一体的に下地層１４１を形成する。このとき、堰１４３から貫通間隙２と離れる方向に広がるように下地層１４１を形成することが好ましい。また、堰１４３及び下地層１４１を形成する前に、例えば、無溶剤型エポキシ樹脂等を塗布してプライマー層（図示せず）を形成することもできる。
【００２７】
下地層１４１を形成した後、下地層１４１の上に、貫通間隙２を覆うように防水シート１１を載置し、防水シート１１の上に防護膜１２を載置する。防護膜１２は、剛性の高いステンレスネット等の場合は、図５に示すようにたわみ部１２ａが貫通間隙２の上に膨らんだ状態で載置し、柔軟性の高いビニロンシート又はポリエステルシート等の場合は、図４に示すように貫通間隙２の上にたわみ部１２ａを折り畳んだ状態で載置する。その後、防水シート１１及び防護膜１２を、固定具１３を用いて中空コンクリート構造物１に固定する。具体的には、貫通間隙２の周囲に位置する防水シート１１及び防護膜１２の上にステンレスバー１３１を載置し、固定ボルト１３２を中空コンクリート構造物１に打ち込む又はねじ込む等して取り付けることにより、防水シート１１及び防護膜１２を中空コンクリート構造物１に固定する。このとき、固定ボルト１３２は、下地層１４１を介して中空コンクリート構造物１に取り付けられる。その後、防水シート１１及び防護膜１２の少なくとも周縁部を挟み且つ固定具１３を覆うように樹脂接着剤を塗布して上塗層１４２を形成する。このとき、下地層１４１と上塗層１４２とが一体となる。
【００２８】
以上のように、本実施形態の止水工法及び止水構造１０では、下地層１４１及び上塗層１４２からなる樹脂固定部１４を設け、防水シート１１の少なくとも周縁部を挟み且つ固定具１３を覆うことにより、樹脂固定部１４内で防水シート１１及び固定具１３が一体に固定され、固定具１３が防水シート１１から外れにくくなる。加えて、樹脂固定部１４の下地層１４１が中空コンクリート構造物１と固着しているため、防水シート１１の下地層１４１を介して中空コンクリート構造物１と接触する面の全面で、防水シート１１と中空コンクリート構造物１とが固定される。これにより、防水シート１１と中空コンクリート構造物１との強固な固定が得られ、止水構造１０の耐水圧性が向上し、貫通間隙２を確実に止水することができる。
【００２９】
加えて、耐水圧性を有する防護膜１２で防水シート１１を覆うことにより、地中から中空コンクリート構造物１に侵入してくる水の水圧により防水シート１１が膨張したとしても、防護膜１２の耐水圧性によって防水シート１１の膨張が抑えられる。これにより、固定具１３が外れる方向への負荷及び樹脂固定部１４が剥離する方向への負荷が軽減され、固定具１３が外れにくくなり且つ樹脂固定部１４が剥離しにくくなる。これにより、防水シート１１が中空コンクリート構造物１に強固に固定され、止水構造１０の耐水圧性がより向上し、貫通間隙２を確実に止水することができる。
【００３０】
その上で、樹脂固定部１４に下地層１４１と一体に堰１４３を形成することにより、樹脂固定部１４が断面Ｌ字状となり、折れ曲がり部（堰１４３）が中空コンクリート構造物１に差し込まれる状態となる。止水構造１０には、地中から中空コンクリート構造物１に侵入してくる水の水圧によって防水シート１１が膨張し、それに伴い、樹脂固定部１４を中空コンクリート構造物１から剥離しようとする力が掛かる。しかしながら、堰１４３が中空コンクリート構造物１に引っ掛かっていることで、アンカーの役目を果たし、樹脂固定部１４を中空コンクリート構造物１から剥離することを防止することができる。それと共に、堰１４３により、貫通間隙２より中空コンクリート構造物１に侵入してきた水が止められるため、中空コンクリート構造物１と樹脂固定部１４との間に水が浸入して樹脂固定部１４が中空コンクリート構造物１から剥離することも防止することができる。これにより、防水シート１１が中空コンクリート構造物１に確実に固定され、止水構造１０の耐水圧性がより向上し、貫通間隙２を確実に止水することができる。
【００３１】
このように、中空コンクリート構造物１への防水シート１１の強固な固定が可能となるため、中空コンクリート構造物１が地表面から深い位置に設置され、止水構造１０に掛かる水圧が高くなったとしても、その水圧に耐え得ることができる。すなわち、地中深い位置に設けられた中空コンクリート構造物１に対しても、本実施形態の止水構造１０を用いることができる。
【００３２】
また、本実施形態の止水構造１０は、貫通間隙２を被覆する部分が可とう性を有する部材で構成されているため、地盤の不等沈下や地震、あるいは温度変化等に伴って相対変位が生じた場合であっても、その相対変位を吸収することができる。
【００３３】
以上、本発明の一実施形態について説明したが、本発明はこの実施形態に限定されるものではなく、その趣旨を逸脱しない限りにおいて、種々の変更が可能である。例えば、上記実施形態では、止水構造１０は、防水シート１１及び防護膜１２を備えているが、防水シート１１のみで十分な耐水圧性を得られる場合は、防護膜１２は必ずしも必要でない。同様に、樹脂固定部１４も、上記実施形態では堰１４３を備えているが、堰１４３を設けなくても中空コンクリート構造物１に対して十分な接着力が得られる場合は、堰１４３は必ずしも必要でない。
【００３４】
さらに、中空コンクリート構造物１の断面形状は、図２に示すような断面形状に限られるものではなく、断面形状が長方形、円形、楕円形又は馬蹄形等の任意の種々の形状を取り得る。
【実施例】
【００３５】
以下、実施例を用いて、本発明をさらに詳細に説明する。図７及び図８には、上記実施形態に示した止水構造１０を、耐水圧試験用に簡略化した実験用モデルを示す。中空コンクリート構造物１として、幅１０００ｍｍ、長さ５００ｍｍ、厚さ１００ｍｍのコンクリート板１を用いる。このコンクリート板１には中央付近に貫通間隙２が形成されている。
【００３６】
止水構造１０は、各実施例１〜４ともに、次の防水シート１１及び固定具１３を用いる。
防水シート  ：ＳＲ特殊止水シート（サンユレック製）
幅３００ｍｍ×長さ８００ｍｍ×厚さ１ｍｍ
固定具      ：ステンレスバー（幅１５ｍｍ×厚み５ｍｍ×長さ１８２０ｍｍ）、
Ｐレスアンカー（呼び径×４ｍｍ、首下長さ×３２ｍｍ）
【００３７】
その他の防護膜１２、樹脂固定部１４に用いる樹脂接着剤及び堰１４３の仕様は表１の通りである。
【００３８】
【表１】
2014001591.tif 000003
【００３９】
試験は、背面（図８視下面）から貫通間隙２に所定の水圧を１日負荷して漏水状態を観察する。試験結果を表２に示す。
【００４０】
【表２】
2014001591.tif 000004
【００４１】
表２に示すように、実施例１に対して実施例２〜４の方が高い水圧にも耐え得ることができる。すなわち、止水構造１０において、堰１４３を設けることにより、止水構造１０の耐水圧性を向上させることができる。これにより、通常中空コンクリート構造物１が設置されている地中のかなりの深さにおいても、十分な止水効果を得ることができる。
【符号の説明】
【００４２】
１      中空コンクリート構造物
１ａ    凹部
２      貫通間隙
１０    止水構造
１１    防水シート
１２    防護膜
１３    固定具
１３１  ステンレスバー
１３２  固定ボルト
１４    樹脂固定部
１４１  下地層
１４２  上塗層
１４３  堰
１５    充填材
【図１】
2014001591.tif 000005
【図２】
2014001591.tif 000006
【図３】
2014001591.tif 000007
【図４】
2014001591.tif 000008
【図５】
2014001591.tif 000009
【図６】
2014001591.tif 000010
【図７】
2014001591.tif 000011
【図８】
2014001591.tif 000012